(57)【要約】【課題】内外多層のエアカーテンを形成する多段オープンショーケースにおいて、エアカーテンからの外気の巻き込みによる熱侵入を減少させる。【解決手段】商品貯蔵室７の前面開口部に、冷気と非冷空気とからなる内外２層のエアカーテン１１,１４が上から下に向かって吹出し形成されるオープンショーケースにおいて、外層エアカーテン１４の吹出し方向を内層エアカーテン１１の吹出し方向に対して庫外側に傾ける。これにより、流速の大きい空気吹出し口９,１２近傍において外層エアカーテン１４を内層エアカーテン１１から離間させ、境界層における干渉渦の発生・成長を遅延抑制して外気の巻き込みによる熱侵入を減少させることができる。【選択図】      図１
2006023003.tif 000002
【特許請求の範囲】
【請求項１】
商品貯蔵室の前面開口部に、冷気と非冷空気とからなる内外多層のエアカーテンが上から下に向かって吹出し形成されるオープンショーケースにおいて、
非冷空気からなる外層エアカーテンの吹出し方向を冷気からなる内層エアカーテンの吹出し方向に対して庫外側に傾けたことを特徴とするオープンショーケース。
【請求項２】
前記内層エアカーテンの吹出し方向を鉛直方向に対して庫外側に傾けたことを特徴とする請求項１記載のオープンショーケース。
【請求項３】
前記内層エアカーテンの吹出し方向に対する前記外層エアカーテンの吹出し方向の相対傾き角を５°以上としたことを特徴とする請求項１又は請求項２記載のオープンショーケース。
【発明の詳細な説明】
【技術分野】
【０００１】
この発明は、商品貯蔵室の前面開口部に内外多層のエアカーテンを形成する冷気循環式の多段オープンショーケースに関し、詳しくはエアカーテンからの熱侵入を減少させるための手段に関する。
【背景技術】
【０００２】
冷気循環式の多段オープンショーケースは、一般に前面が開口した商品貯蔵室の周囲に冷気と非冷空気とからなる内外多層の空気流を循環させ、商品貯蔵室の前面開口部に上から下に向かう内外多層のエアカーテンを吹出し形成し、商品貯蔵室内の多段の陳列棚に載置された冷凍食品や生鮮食品などの商品を冷却保存している。このような冷気循環式の多段オープンショーケースについては、例えば特許文献１や特許文献２に記載されている。
【０００３】
図９は内外２層のエアカーテンを有するこの種のオープンショーケースの従来例を示す縦断面図、図１０はその空気吹出し部の拡大図である。図９及び図１０において、断熱壁からなるショーケース本体１と鋼板からなる内箱２との間に内外２層の空気循環ダクト３及び４が断面Ｃ字状に形成され、それらの底部に通風ファン５が共通に設置されるとともに、内層ダクト３には冷却器６が設置されている。内箱２の内部は商品貯蔵室７として陳列棚８が多段（図示は４段）に設置され、その上に図示しない商品が陳列されている。
【０００４】
通風ファン５の運転により、商品貯蔵室７の周囲を矢印で示すように空気が循環し、その際、内層ダクト３の空気は冷却器６を通過して冷却される。この冷気は、内層ダクト３の上端部の冷気吹出し口９から吹き出され、下端部の冷気吸込み口１０から吸い込まれて、商品貯蔵室７の前面開口部に上から下に向かう冷気エアカーテン（内層エアカーテン）１１を形成する。同様に、外層ダクト４の非冷空気は、上端部の非冷空気吹出し口１２から吹き出され、下端部の非冷空気吸込み口１３から吸い込まれて、冷気エアカーテン１１の庫外側に、上から下に向かう非冷空気エアカーテン（外層エアカーテン）１４を形成する。空気吹出し口９及び１２には、図１０に示すようにハニカム構造の整流体１４及び１５がそれぞれ組み込まれている。商品貯蔵室７は、内箱２に設けられた図示しない多数の小穴及び冷気エアカーテン１１から庫内に流入する冷気により一定温度に冷却されている。
【特許文献１】特開平８−３２７２１１号公報（図３）
【特許文献２】特開２０００−１０２４５８号公報（図３）
【発明の開示】
【発明が解決しようとする課題】
【０００５】
上記した多層エアカーテンを有する冷気循環式オープンショーケースにおいて、図１０に示すように、冷気からなる内層エアカーテン１１の吹出し方向と非冷空気からなる外層エアカーテン１４の吹出し方向とは一般に平行で、通常は鉛直下向きに揃えられている。そのため、従来は図１０に示すように、流速の大きい吹出し口近傍で、外層の非冷空気エアカーテン１４と内層の冷気エアカーテン１１とが互いに干渉して流れに乱れが起こりやすく、その結果として循環空気は高温の外気を巻き込みながらエアカーテンを形成し、庫内への熱侵入が生じる。
【０００６】
一方、オープンショーケースにおいては、商品貯蔵室の内外の温度差から生じる圧力差により、エアカーテンは図９に示すように庫内側に湾曲する。その結果、内層の冷気エアカーテン１４から庫内へ流入する冷気の供給が陳列棚の上段側に集中しやすく、庫内での商品冷却に偏りが生じやすい。
【０００７】
そこで、この発明の課題は、内外多層のエアカーテンを形成する多段オープンショーケースにおいて、エアカーテンからの外気の巻き込みによる熱侵入を減少させるとともに、陳列棚の上段側への冷気の集中を緩和して庫内温度の均一化を図ることにある。
【課題を解決するための手段】
【０００８】
上記課題を解決するために、この発明は、商品貯蔵室の前面開口部に、冷気と非冷空気とからなる内外多層のエアカーテンが上から下に向かって吹出し形成されるオープンショーケースにおいて、非冷空気からなる外層エアカーテンの吹出し方向を冷気からなる内層エアカーテンの吹出し方向に対して庫外側に傾けるものとする（請求項１）。
【０００９】
請求項１の発明は、外層エアカーテンの吹出し方向を内層エアカーテンの吹出し方向に対して庫外側に傾けることにより、非冷空気エアカーテンが吹出し方向に進むにしたがって冷気エアカーテンから離れるようにするものである。これにより、エアカーテン吹出し口近傍において非冷空気エアカーテンを冷気エアカーテンから離間させ、非冷空気エアカーテンと冷気エアカーテンとの境界層における干渉渦の発生・成長を遅延抑制し、外気の巻き込みを減少させることができる。冷気エアカーテンから離れる方向に進んだ非冷空気エアカーテンは、やがて庫内外の圧力差により冷気エアカーテン付近に押し戻される。
【００１０】
また、請求項１の発明によれば、庫内外の圧力差が非冷空気エアカーテンを介して冷気エアカーテンを庫内側へ湾曲させる時期が遅れるため、冷気エアカーテンから流入する冷気が下段側の陳列棚に分散され、庫内上部への冷気の集中が緩和される。
【００１１】
請求項１の発明において、前記内層エアカーテンの吹出し方向も鉛直方向に対して庫外層に傾けることができる（請求項２）。請求項２の発明によれば、内層エアカーテンの吹出し方向を鉛直下向きから庫外側に傾けることにより、庫内側への内層エアカーテンの湾曲が抑制され、上段陳列棚への冷気の集中が一層緩和される。
【００１２】
請求項１又は請求項２の発明において、前記内層エアカーテンの吹出し方向に対する前記外層エアカーテンの吹出し方向の相対傾き角は５°以上とするのがよい（請求項３）。
【発明の効果】
【００１３】
この発明によれば、内外層のエアカーテンの干渉による外気の巻き込みを減少させ、外気からの熱侵入を抑制してオープンショーケースの所要冷凍能力を低減できるとともに、庫内の上下温度差を縮小させて保冷品質の向上を図ることができる。
【発明を実施するための最良の形態】
【００１４】
以下、図１〜図８に基づいて、この発明の実施の形態を説明する。なお、従来例と対応する部分には同一の符号を用いるものとする。
【実施例１】
【００１５】
図１はこの発明の実施例１を示すオープンショーケースの縦断面図、図２は図１における空気吹出し口の拡大図である。図１及び図２において、図９及び図１０の従来例と相違するのは、外層ダクト４の上端部の非冷空気吹出し口１２が鉛直下向きから庫外側に振られ、非冷空気からなる外層エアカーテン１４の吹出し方向が冷気からなる内層エアカーテン１１の吹出し方向に対して庫外側に傾けられている点である。図示の場合、内層エアカーテン１１の吹出し方向は鉛直下向きで、外層エアカーテン１４の吹出し方向は鉛直方向、つまり内層エアカーテン１１の吹出し方向に対して庫外側（図１の左側）に３０℃傾けられている。
【００１６】
図示実施例１において、吹出し口１２から吹出された外層エアカーテン１４は、吹出し口９から鉛直下向きに吹出された内層エアカーテン１１から離れる方向に進み、流速の低下とともに庫内外の圧力差で内層エアカーテン１１付近に押し戻される。これにより、吹出し直後の流速の速い状態での内層エアカーテン１１と外層エアカーテン１４との干渉が回避され、境界層での干渉渦の発生が抑制される結果、外気の巻き込みによる熱侵入が減少する。
【００１７】
また、庫内外の圧力差が外層エアカーテン１４を介して内層エアカーテン１１を庫内側に湾曲させる時期が遅れるため、その間は冷気が庫内に押し込まれる作用が軽減され、冷気の流入が冷気吹出し口９に近い最上段の陳列棚８から、より下段の陳列棚８に分散される。その結果、冷気吸込み口１０付近の最下段の陳列棚８への冷気の流入量が増加し、庫内上下の温度幅が縮小する。
【実施例２】
【００１８】
図３及び図４は、この発明の実施例２を示すものである。この実施例２の実施例１との相違は、非冷空気吹出し口１２が冷気吹出し口９と同じく鉛直下向きで、ハニカム整流体１６の下側に平行な多数の板材からなる風向板１７が設置されている点である。この風向板１７により、外層エアカーテン１４の吹出し方向は内層エアカーテン１１の吹出し方向に対して庫外側に３０°傾けられる。この実施例２によっても、実施例１と同様の作用効果が得られる。
【実施例３】
【００１９】
図５及び図６は、この発明の実施例３を示すものである。この実施例３の実施例１との相違は、鉛直下向きの非冷空気吹出し口１２に、ハニカム整流体１６が庫外側に振られて組み込まれている点である。このハニカム整流体１６により、外層エアカーテン１４の吹出し方向は内層エアカーテン１１に対して庫外側に３０°傾けられる。この実施例３によっても、実施例１と同様の作用効果が得られる。
【実施例４】
【００２０】
図７及び図８は、この発明の実施例４を示すものである。この実施例４の実施例１との相違は、ともに鉛直下向きの冷気吹出し口９と非冷空気吹出し口１２の下側に、平行な多数の板材からなる風向板１７及び１８が設置されている点である。風向板１７は鉛直下向きから４５°庫外側に振られて設置され、風向板１８は鉛直下向きから１５°庫外側に振られて設置されている。その結果、風向板１７は風向板１８に対して相対的に３０°庫外側に振られている。これにより、外層エアカーテン１４の吹出し方向は内層エアカーテン１１の吹出し方向に対して庫外側に３０°傾けられる。
【００２１】
この実施例４によっても、実施例１と同様の作用効果が得られる。また更に、実施例４によれば、内層エアカーテン１１も庫外側に１５°傾けられて吹き出されるため、冷気１８が上段側の陳列棚８に流入する量が減少し、庫内上下の温度幅が実施例１に比べて一層縮小する。なお、図示実施の形態では内外２層のエアカーテンを有するオープンショーケースの例を示したが、この発明は３層あるいはそれ以上の多層エアカーテンを有するオープンショーケースについても適用可能である。
【図面の簡単な説明】
【００２２】
【図１】この発明の実施例１を示すオープンショーケースの縦断面図である。
【図２】図１における空気吹出し口部分の拡大図である。
【図３】この発明の実施例２を示すオープンショーケースの縦断面図である。
【図４】図３における空気吹出し口部分の拡大図である。
【図５】この発明の実施例３を示すオープンショーケースの縦断面図である。
【図６】図５における空気吹出し口部分の拡大図である。
【図７】この発明の実施例４を示すオープンショーケースの縦断面図である。
【図８】図７における空気吹出し口部分の拡大図である。
【図９】従来例を示すオープンショーケースの縦断面図である。
【図１０】図９における空気吹出し口部分の拡大図である。
【符号の説明】
【００２３】
１    ショーケース本体
２    内箱
３    内層循環ダクト
４    外層循環ダクト
５    通風ファン
６    冷却器
７    商品貯蔵室
８    陳列棚
９    冷気吹出し口
１１    内層エアカーテン
１２    非冷空気吹出し口
１４    外層エアカーテン
１７    風向板
１８    風向板
【図１】
2006023003.tif 000003
【図２】
2006023003.tif 000004
【図３】
2006023003.tif 000005
【図４】
2006023003.tif 000006
【図５】
2006023003.tif 000007
【図６】
2006023003.tif 000008
【図７】
2006023003.tif 000009
【図８】
2006023003.tif 000010
【図９】
2006023003.tif 000011
【図１０】
2006023003.tif 000012